(57)【要約】【課題】作業者に対し個人差を排除したばらつきを少なくした手洗いを行わせる装置を提供する。【解決手段】洗浄対象の洗浄処理の実行を監視する洗浄監視方法は、洗浄位置における洗浄対象の存在の有無を検出するステップと、洗浄位置に洗浄対象の存在を検出したときに、洗浄処理を開始するステップと、洗浄処理が完了する前に、洗浄対象の不在を検出したときに、洗浄処理の実行を中断して、洗浄処理の未完了を表す信号を生成するステップを含む。【選択図】図３Ｃ
2018202099.tif 000002
【特許請求の範囲】
【請求項１】
洗浄対象の洗浄処理の実行を監視する洗浄監視方法であって、
洗浄位置における前記洗浄対象の存在の有無を検出するステップと、
前記洗浄位置に前記洗浄対象の存在を検出したときに、前記洗浄処理を開始するステップと、
前記洗浄処理が完了する前に、前記洗浄対象の不在を検出したときに、前記洗浄処理の実行を中断して、前記洗浄処理の未完了を表す信号を生成するステップと、
を含む洗浄監視方法。
【請求項２】
請求項１に記載の洗浄監視方法は、さらに、
前記洗浄処理の実行を中断するとき、前記洗浄処理における中断位置を記録するステップを含む、洗浄監視方法。
【請求項３】
請求項１に記載の洗浄監視方法は、さらに、
前記洗浄処理の未完了を表す信号の生成後、前記洗浄位置に前記洗浄対象の存在を検出したときに、前記洗浄処理の実行を、前記中断位置から続行するステップを含む、洗浄監視方法。
【請求項４】
請求項１に記載の洗浄監視方法は、さらに、
前記洗浄処理が完了したときに、前記洗浄処理の完了を通知するステップを含む、洗浄監視方法。
【請求項５】
請求項１に記載の洗浄監視方法は、さらに、
前記洗浄処理の未完了を表す信号を生成した場合に、前記洗浄処理に関連する処理を実行しない、洗浄監視方法。
【請求項６】
請求項４に記載の洗浄監視方法は、さらに、
前記洗浄処理の完了を表す信号を生成した場合に、前記洗浄処理に関連する処理を実行するステップを含む、洗浄監視方法。
【請求項７】
洗浄対象の洗浄処理の実行を監視する洗浄監視装置であって、
洗浄位置における前記洗浄対象の存在の有無を検出し、前記洗浄位置に前記洗浄対象の存在を検出したときに、前記洗浄処理を開始させ、前記洗浄処理が完了する前に、前記洗浄対象の不在を検出したときに、前記洗浄処理の実行を中断して、前記洗浄処理の未完了を表す信号を生成する制御器を含む洗浄監視装置。
【請求項８】
請求項７に記載の洗浄監視装置であって、前記制御器は、さらに、前記洗浄処理の実行を中断するとき、前記洗浄処理における中断位置を記録する、洗浄監視装置。
【請求項９】
請求項７に記載の洗浄監視装置であっては、前記制御器は、さらに、前記洗浄処理の未完了を表す信号の生成後、前記洗浄位置に前記洗浄対象の存在を検出したときに、前記洗浄処理の実行を、前記中断位置から続行する、洗浄監視装置。
【請求項１０】
請求項７に記載の洗浄監視装置であって、前記制御器は、さらに、前記洗浄処理が完了したときに、前記洗浄処理の完了を通知する、洗浄監視装置。
【請求項１１】
洗浄監視システムであって、
少なくとも１つの請求項７に記載の洗浄監視装置と、
前記洗浄処理を補助する処理を実行する補助装置と
を含み、
前記補助装置は、前記洗浄監視装置からの前記洗浄処理の未完了を表す信号が生成された場合に、前記洗浄処理に関連する処理を実行しない、洗浄監視システム。
【請求項１２】
請求項１１に記載の洗浄監視システムであって、
前記補助装置は、前記洗浄監視装置からの前記洗浄処理の完了を表す信号がされた場合に、前記洗浄処理に関連する処理を実行する、洗浄監視システム。
【発明の詳細な説明】
【技術分野】
【０００１】
本発明は、洗浄監視方法、洗浄監視装置、及び洗浄監視システムに関する。
【背景技術】
【０００２】
レストランや食品処理工場等の食品取扱い環境や病院等においては、衛生管理上、雑菌が付着しないように手の洗浄が重要である。特許文献１には、センサが作業者を検出した際に、その作業者に対し手洗い等の励行を促す音声を出力するシステムが開示されている。
【先行技術文献】
【特許文献】
【０００３】
【特許文献１】特開２００２−１９７５５９号明細書
【発明の概要】
【発明が解決しようとする課題】
【０００４】
しかしながら、特許文献１に記載のものでは、作業者自身に手洗いのやり方が委ねられているために、手洗いの時間が短かったり、手洗いの行程が省かれたりする可能性があり、作業者の手洗いのやり方にばらつきがあった。
【０００５】
本発明は上述の点に鑑みてなされたものであり、その目的の一つは、作業者に対し所定の内容の手洗いを行わせるための装置及びシステムを提供することにある。
【課題を解決するための手段】
【０００６】
上述した課題を解決するために、本発明の一態様は、洗浄対象の洗浄処理の実行を監視する洗浄監視方法であって、洗浄位置における前記洗浄対象の存在の有無を検出するステップと、前記洗浄位置に前記洗浄対象の存在を検出したときに、前記洗浄処理を開始するステップと、前記洗浄処理が完了する前に、前記洗浄対象の不在を検出したときに、前記洗浄処理の実行を中断して、前記洗浄処理の未完了を表す信号を生成するステップと、を含む洗浄監視方法である。
【０００７】
また、本発明の他の一態様は、洗浄対象の洗浄処理の実行を監視する洗浄監視装置であって、洗浄位置における前記洗浄対象の存在の有無を検出し、前記洗浄位置に前記洗浄対象の存在を検出したときに、前記洗浄処理を開始させ、前記洗浄処理が完了する前に、前記洗浄対象の不在を検出したときに、前記洗浄処理の実行を中断して、前記洗浄処理の未完了を表す信号を生成する制御器を含む洗浄監視装置である。
【発明の効果】
【０００８】
本発明によれば、作業者に対し所定の内容の手洗いを行わせるための方法、装置及びシステムを提供することができる。
【図面の簡単な説明】
【０００９】
【図１】本発明を組み込んだ一実施形態の洗浄監視装置の外観斜視図である。
【図２】本発明を組み込んだ一実施形態の洗浄システムのハードウェア構成図である。
【図３Ａ】本発明の一実施形態に係る洗浄監視装置において実行されるシーケンス処理を示す。
【図３Ｂ】図３Ａに示すシーケンス処理の各行程において、ディスプレイに表示される画面の遷移図である。
【図３Ｃ】図３Ａに示すシーケンス処理を行う手順を示すフローチャートである。
【図４】本発明の一実施形態に係る洗浄システムの構成図である。
【図５】本発明の一実施形態に係る補助装置の動作を示すフローチャートである。
【図６】本発明の一実施形態に係る補助装置の動作を示すフローチャートである。
【図７】本発明の一実施形態に係る洗浄システムの構成図である。
【図８】本発明の一実施形態に係る第１の洗浄装置の動作を示すフローチャートである。
【図９】本発明の一実施形態に係る洗浄システムの構成図である。
【図１０】本発明の一実施形態に係る洗浄システムの設定画面の一例を示す。
【図１１】本発明の一実施形態に係る洗浄システムの設定画面の一例を示す。
【図１２】本発明の一実施形態に係る洗浄システムの設定画面の一例を示す。
【図１３】本発明の一実施形態に係る洗浄装置において実行されるシーケンス処理を示す。
【発明を実施するための形態】
【００１０】
［本発明の実施形態の説明］
最初に、本発明の実施形態の内容を列記して説明する。本発明の一実施形態は、以下のような構成を備える。
【００１１】
（項目１）洗浄対象の洗浄処理の実行を監視する洗浄監視方法であって、洗浄位置における前記洗浄対象の存在の有無を検出するステップと、前記洗浄位置に前記洗浄対象の存在を検出したときに、前記洗浄処理を開始するステップと、前記洗浄処理が完了する前に、前記洗浄対象の不在を検出したときに、前記洗浄処理の実行を中断して、前記洗浄処理の未完了を表す信号を生成するステップと、を含む洗浄監視方法。
【００１２】
（項目２）項目１に記載の洗浄監視方法は、さらに、前記洗浄処理の実行を中断するとき、前記洗浄処理における中断位置を記録するステップを含む、洗浄監視方法。
【００１３】
（項目３）項目１に記載の洗浄監視方法は、さらに、前記洗浄処理の未完了を表す信号の生成後、前記洗浄位置に前記洗浄対象の存在を検出したときに、前記洗浄処理の実行を、前記中断位置から続行するステップを含む、洗浄監視方法。
【００１４】
（項目４）項目１に記載の洗浄監視方法は、さらに、前記洗浄処理が完了したときに、前記洗浄処理の完了を通知するステップを含む、洗浄監視方法。
【００１５】
（項目５）項目１に記載の洗浄監視方法は、さらに、前記洗浄処理の未完了を表す信号を生成した場合に、前記洗浄処理に関連する処理を実行しない、洗浄監視方法。
【００１６】
（項目６）項目４に記載の洗浄監視方法は、さらに、前記洗浄処理の完了を表す信号を生成した場合に、前記洗浄処理に関連する処理を実行するステップを含む、洗浄監視方法。
【００１７】
（項目７）洗浄対象の洗浄処理の実行を監視する洗浄監視装置であって、洗浄位置における前記洗浄対象の存在の有無を検出し、前記洗浄位置に前記洗浄対象の存在を検出したときに、前記洗浄処理を開始させ、前記洗浄処理が完了する前に、前記洗浄対象の不在を検出したときに、前記洗浄処理の実行を中断して、前記洗浄処理の未完了を表す信号を生成する制御器を含む洗浄監視装置。
【００１８】
（項目８）項目７に記載の洗浄監視装置であって、前記制御器は、さらに、前記洗浄処理の実行を中断するとき、前記洗浄処理における中断位置を記録する、洗浄監視装置。
【００１９】
（項目９）項目７に記載の洗浄監視装置であって、前記制御器は、さらに、前記洗浄処理の未完了を表す信号の生成後、前記洗浄位置に前記洗浄対象の存在を検出したときに、前記洗浄処理の実行を、前記中断位置から続行する、洗浄監視装置。
【００２０】
（項目１０）項目７に記載の洗浄監視装置であって、前記制御器は、さらに、前記洗浄処理が完了したときに、前記洗浄処理の完了を通知する、洗浄監視装置。
【００２１】
（項目１１）洗浄監視システムであって、少なくとも１つの項目７に記載の洗浄監視装置と、前記洗浄処理を補助する処理を実行する補助装置とを含み、前記補助装置は、前記洗浄監視装置からの前記洗浄処理の未完了を表す信号が生成された場合に、前記洗浄処理に関連する処理を実行しない、洗浄監視システム。
【００２２】
（項目１２）項目１１に記載の洗浄監視システムであって、前記補助装置は、前記洗浄監視装置からの前記洗浄処理の完了を表す信号が生成された場合に、前記洗浄処理に関連する処理を実行する、洗浄監視システム。
【００２３】
［本発明の実施形態の詳細］
以下に、本技術の詳細を実施形態に基づき、添付図面とともに説明する。添付図面において、同一または類似の要素には同一または類似の参照符号が付され、各実施形態の説明において同一または類似の要素に関する重複する説明は省略することがある。また、各実施形態で示される特徴は、互いに矛盾しない限り他の実施形態にも適用可能である。
【００２４】
図１は、本発明の一実施形態に係る洗浄装置１００の外観斜視図である。洗浄装置１００は、洗浄対象（例えば人の手）の洗浄処理の実行を監視する監視装置としての機能を組み込んだ一実施形態としての装置である。洗浄装置１００は、食品加工工場や、医療施設、精密機器工場等において、手作業を行う部屋に入室する前に設けられた手洗所の壁面等に設置される。洗浄装置１００は、操作部１１０と、洗浄部１３０で構成される。操作部１１０と、洗浄部１３０とは、一例として有線ケーブル１２０によって電気的に接続され、相互に通信可能である。有線ケーブル１２０に代えて、無線接続が用いられてもよい。
【００２５】
操作部１１０は、タッチパネル式のディスプレイ１１２を備え、洗浄部１３０の上方の任意の位置に配置される。操作部１１０は、洗浄部１３０と分離可能に構成されている。操作部１１０は、洗浄部１３０と分離可能であるので、男女差の身長差に対応して、操作部１１０と、洗浄部１３０との距離を異ならせて配置することができる。さらに、ディスプレイ１１２は、水平面と所定の角度θ（例えば１０°から８０°）を有するように、傾斜姿勢で配置される。ディスプレイ１１２は傾斜姿勢で配置されるので、人は手元を見ながらディスプレイ１１２を視認することが容易である。
【００２６】
洗浄部１３０は、シンクの上部に取り付けられる。洗浄部１３０は、制御器１４０（図２に示す）と、流体供給機構１５０と、センサ１６０とを含む。なお、制御器１４０は、操作部１１０に配置されてもよいし、あるいは洗浄部１３０や、操作部１１０とは別に配置されてもよい。
【００２７】
流体供給機構１５０は、複数の流体を供給するものであり、吐出する流体ごとに吐出ノズルを有する。より具体的には、流体供給機構１５０は、電磁弁１５２と、当該電磁弁１５２を介して水を吐出する水吐出ノズル１５４と、薬液ポンプ１５６と、当該薬液ポンプ１５６を介して薬液タンク１７０の薬液を吐出する薬液吐出ノズル１５８とを備える。流体供給機構１５０は、複数の異なる種類の薬液を吐出するよう構成されてもよい。この場合、薬液ごとに、薬液ポンプ１５６と、薬液吐出ノズル１５８と、薬液タンク１７０とが配設される。薬液は、石けん液、消毒液、あるいはうがい液などの薬液であってもよい。また、薬液は、液状であっても泡状であってもよい。図１に示されるように、水吐出ノズル１５４と、薬液吐出ノズル１５８と、センサ１６０とは、流体を運ぶ管の出口付近に近接して配置される。
【００２８】
薬液タンク１７０は、図示されるように洗浄部１３０に隣接して配置されてもよいし、洗浄部１３０とは別に配置されてもよい。
【００２９】
洗浄装置１００は、スピーカ１１４（図２に示す）と、ランプ１１６（図２に示す）とを備えてもよい。スピーカ１１４とランプ１１６とは、操作部１１０あるいは、洗浄部１３０に配置されもよいし、これらとは別に、洗浄装置１００の付近に配置されてもよい。
【００３０】
図２は、本発明の一実施形態に係る洗浄システム２００のハードウェア構成図である。洗浄システム２００は、上述した洗浄装置１００と、補助装置２２０とを備える。洗浄装置１００は、ディスプレイ１１２と、スピーカ１１４と、ランプ１１６と、制御器１４０と、流体供給機構１５０と、センサ１６０と、送信器１８０とを備える。補助装置２２０は、洗浄装置１００と有線ケーブル２１０によって、相互に通信可能に接続されている。
【００３１】
制御器１４０は、ディスプレイ１１２と、スピーカ１１４と、ランプ１１６と、流体供給機構１５０と、センサ１６０と、送信器１８０とに電気的に接続されている。そして、制御器１４０は、メモリ１４２と、プロセッサ１４４とを含む。メモリ１４２には、少なくとも、洗浄処理プログラムと、設定処理プログラムとが格納されている。制御器１４０は、メモリ１４２に格納された洗浄処理プログラム、あるいは設定処理プログラムを読み出して、プロセッサ１４４に洗浄処理プログラム、あるいは設定処理プログラムを実行させ、これらの動作を制御するよう構成される。洗浄処理プログラムは、洗浄装置１００に一連の洗浄処理を実行させるためのコンピュータプログラムである。設定処理プログラムは、洗浄装置１００に洗浄処理の設定の変更及び決定を行わせるためのコンピュータプログラムである。メモリ１４２の具体例は、ＲＯＭ（Read Only Memory）、ＲＡＭ（Random Access Memory）等の主記憶や、ハードディスク、フラッシュメモリ、光ディスク等の補助記憶を含む。また、プロセッサ１４４は、ＣＰＵ（Central Processing Unit）及びＧＰＵ（Graphics Processing Unit）を含む。
【００３２】
制御器１４０は、洗浄位置(例えば、流体を運ぶ管の出口下付近)において人の手の存在を検出すると、洗浄処理プログラムに規定された洗浄処理を開始する。洗浄処理が開始されると、制御器１４０は、流体供給機構１５０に対し、複数の流体を、それぞれ所定のタイミングで、所定の期間にわたって供給させる。洗浄処理は、流体供給機構１５０に一連の吐出動作をさせる手洗いシーケンス処理である。シーケンス処理の詳細については、図３Ａ、図３Ｂ、及び図３Ｃを用いて後述する。
【００３３】
ディスプレイ１１２には、制御器１４０が順次生成した手洗いシーケンス画像が表示される。制御器１４０は、手洗いシーケンス画像と、流体供給機構１５０の動作とを、同期して制御する。人はディスプレイ１１２に表示される手洗いシーケンス画像を視認することによって、一連の決められた手洗いシーケンスに従って手洗いを行うことができる。従って、洗浄装置１００は、人に対し、個人差を排除した同じような手洗いを行わせることができる。
【００３４】
センサ１６０は、蛇口下にある洗浄位置に赤外線等を照射し、被検出体である人の手から反射された赤外線等を検出するものである。制御器１４０は、センサ１６０が人の手から反射された赤外線を検出した場合に、洗浄位置に洗浄対象が有ると判定し、センサ１６０が人の手から反射された赤外線を検出しない場合に、洗浄位置に洗浄対象が無いと判定する。なお、センサ１６０は、上述のものに限られず、例えば、被検出体そのものが放出する赤外線を検出するセンサであってもよい。
【００３５】
送信器１８０は、制御器１４０が生成したシーケンス処理の完了を示す信号を受信し、当該信号を、有線ケーブル２１０を介して補助装置２２０へ送信するものである。なお、有線ケーブル２１０に代えて、無線接続が用いられてもよい。
【００３６】
補助装置２２０は、洗浄装置１００の洗浄処理に関連する処理を実行する装置であり、例えば、図４に示されるようにアルコール噴霧器２２２Ａ及び自動ドア２２４Ａである。補助装置２２０は、洗浄装置１００が生成したシーケンス処理の完了を示す完了信号を受信し、当該完了信号に応じて駆動される。
【００３７】
図３Ａは、本発明の一実施形態にかかる洗浄装置１００において実行されるシーケンス処理を示す。図３Ａに示すように、シーケンス処理は、水洗い行程１、薬液行程、手洗い行程、水洗い行程２、終了待機行程の５つの行程と、これらの行程前にそれぞれ設けられた５つの行程間行程を含む。センサ１６０からの入力が検知されると、シーケンス処理が開始される。
【００３８】
シーケンス処理が開始されると、1回目の行程間行程を間隔時間ｔｉ１にわたり実行後、第１所定時間ｔ１にわたり水洗い行程１を実行し、２回目の行程間行程を間隔時間ｔｉ２にわたり実行後、第２所定時間ｔ２にわたり薬液行程を実行し、３回目の行程間行程を間隔時間ｔｉ３にわたり実行後、第３所定時間ｔ３にわたり手洗い行程を実行し、４回目の行程間行程を間隔時間ｔｉ４にわたり実行後、第４所定時間ｔ４にわたり水洗い行程２を実行し、５回目の行程間行程をｔｉ５にわたり実行後、終了待機時間ｔｂにわたり終了待機行程を実行する。終了待機行程が終了した後、センサ１６０からの入力が再び検知されると、次のシーケンス処理が最初から開始される。なお、第１から第４の所定期間（ｔ１からｔ４）、終了待機時間ｔｂ、及び間隔時間１から間隔時間５（ｔｉ１からｔｉ５）は、後述する設定画面を用いて、管理者により予め設定される。
【００３９】
また、シーケンス処理が開始されると、ディスプレイ１１２は、各行程と同期して、制御器１４０が生成した手洗いシーケンス画像を表示する。
【００４０】
図３Ｂは、図３Ａに示すシーケンス処理時に、各行程においてディスプレイ１１２に表示される画面（３０２〜３２２）の遷移を例示した図である。図３Ｃは、図３Ａに示すシーケンス処理を行う手順を示すフローチャート４００を示す。以下、図３Ｂに示す画面例を参照しながら、図３Ｃを用いて、本発明の一実施形態にかかる洗浄システム２００の、図３Ａに示されるシーケンス処理を行う手順について詳細に説明する。
【００４１】
まず、制御器１４０は、メモリ１４２から洗浄処理プログラムを読み出しし、当該プログラムをプロセッサ１４４に実行させる。そして、制御器１４０は、洗浄処理プログラムに規定された初期処理を実行する。初期処理において、制御器１４０は、メモリ１４２から、初期画像を読み出しし、ディスプレイ１１２に対し、初期画面（図３Ｂの画面３０２：「蛇口に手をかざすとスタートします」）を表示させる（ステップＳ４０２）。
【００４２】
そして、制御器１４０は、初期画面が表示されているときに、洗浄位置において手の存在を検出すると（ステップＳ４０４）、洗浄処理プログラムに規定されたシーケンス処理を開始する。ステップＳ４０４にて、センサ１６０が洗浄位置に手の不在を検出したときに、ステップＳ４０２へ戻る。
【００４３】
シーケンス処理が開始されると、制御器１４０は、１回目の行程間行程の実行に移る（図３Ｃでは不図示）。制御器１４０は、メモリ１４２から、１回目の行程間行程に対応する画像と、間隔時間ｔｉ１とを読み出しするとともに、タイマにより残時間Ｔを間隔時間１（ｔｉ１）に設定する 。そして、制御器１４０は、間隔時間ｔｉ１にわたり、ディスプレイ１１２に対し、１回目の行程間行程時の画面（図３Ｂの画面３０４：例えば「水が出ます」）を表示させる。タイマは、各行程における、設定された時間ｔｉ１からの残時間Ｔのカウントダウンを行う。制御器１４０は、行程間行程の残時間Ｔをカウントダウン表示（例えば「あとＴ秒」と表示）させてもよい。
【００４４】
そして、残時間Ｔが「０」になると、すなわち１回目の行程間行程が終了すると、制御器１４０は、水洗い行程１の実行に移る（ステップＳ４０６からＳ４１２）。水洗い行程１では、まず、制御器１４０は、メモリ１４２から、水洗い行程１に対応する画像と、第１所定時間ｔ１とを読み出しするとともに、タイマにより残時間Ｔを第１所定時間ｔ１に設定する（ステップＳ４０６）。
【００４５】
次に、ステップＳ４０８において、洗浄位置における手の存在を検出したときに、ステップＳ４１０に進む。
【００４６】
ステップＳ４１０において、制御器１４０は、電磁弁１５２に水吐出ノズル１５４から水を吐出させると共に、ディスプレイ１１２に対し、水洗い行程１時の画面（（図３Ｂの画面３０６：例えば「水洗い」）を表示させる。
【００４７】
また、ステップＳ４１０において、制御器１４０は、水洗い行程１における、設定された時間ｔ１からの残時間Ｔのカウントダウンを開始させる。制御器１４０は、ディスプレイ１１２に対し、水洗い行程１の残時間Ｔをカウントダウン表示させてもよい。カウントダウン表示を視認することで、人はあとどのくらい水洗い行程１を継続しなければならないのかを、知ることができる。ステップＳ４１２において、残時間Ｔが「０」でないと判定された場合、ステップＳ４０８へ戻る。ステップＳ４０８及びステップＳ４１０の処理は、残時間Ｔが「０」になるまで繰り返される。
【００４８】
一方、ステップＳ４０８において、洗浄位置における手の不存在を検出したときに、ステップＳ４３８へ進む。ステップＳ４３８からステップＳ４４８は、シーケンス処理が完了する前に、洗浄位置における手の不存在を検出したときに、制御器１４０が実行する一連の処理（以降、中断処理と称する。）を示す。中断処理では、リセット時間ｔａに亘り、手の存在が検出されるかを判定する。リセット時間ｔａに亘り、手の存在が検出されない場合には、水洗い行程１の未完了を表す信号を生成する。リセット時間ｔａ経過後も、手の存在が検出されない場合には、リセット処理が行われる。以下、ステップＳ４３８から４４８を参照して、中断処理の詳細を説明する。
【００４９】
ステップＳ４３８において、制御器１４０は、シーケンス処理の実行、ここでは水洗い行程１の実行を中断するとともに、水洗い行程１の残時間Ｔのカウントダウンを停止する。また、制御器１４０は、水洗い行程１における中断位置をメモリ１４２に記録する。中断位置は、各行程（ここでは水洗い行程１）を示す識別子と、残時間Ｔを用いて設定される。そして、制御器１４０は、リセット時間ｔａを読み出しするとともに、タイマによりリセットするまでの残時間Ｔｒをリセット時間ｔａに設定する。
【００５０】
次に、ステップ４４０において、洗浄位置における手の存在の有無を検出し、洗浄位置における手の存在を検出したときに、ステップＳ４４４へ進む。
【００５１】
ステップＳ４４４において、制御器１４０は、メモリ１４２から、水洗い行程１における中断位置、すなわち水洗い行程１を示す識別子と、残時間Ｔを読み出す。そして、ステップＳ４１０に進み、中断したシーケンス処理の実行、すなわち水洗い行程１の実行を、中断位置から続行する。
【００５２】
一方、ステップＳ４４０において、洗浄位置における手の不存在を検出したときに、ステップＳ４４２に進む。ステップＳ４４２において、制御器１４０は、水洗い行程１の未完了を表す信号を生成し、該未完了を表す信号に基づいて、未完了を通知する処理を行う。例えば、制御器１４０は、メモリ１４２から、手洗いの再開を促す画像を読み出しし、ディスプレイ１１２に対し、手洗いの再開を促す画面（例えば、「手を入れてください」）を表示させる。また、制御器１４０は、タイマにより設定された洗浄装置１００のリセット時間ｔａからの残時間Ｔｒのカウントダウンを開始させる。このとき、制御器１４０は、ディスプレイ１１２に対し、リセット時間ｔａの残時間Ｔｒをカウントダウン表示させてもよい。
【００５３】
また、ステップＳ４４２において、制御器１４０は、水洗い行程１の未完了を通知する処理として、スピーカ１１４に対し、手洗いの再開を促す警告音（例えば、ブザー音）を出力させてもよい。手洗いが完了していないと警告音がなるので、周りの人に、手洗いを完了していないことを知られてしまう。人は、周りの人に、手洗いが完了していないことを知られることを回避するために、意識的に手洗いを完了しようとする。従って、洗浄装置１００は、人に対し半強制的に手洗いを完了させることができる。
【００５４】
さらに、ステップＳ４４２において、制御器１４０は、水洗い行程１の未完了を通知する処理として、ランプ１１６に対し、手洗いの再開を促す警告点灯をさせてもよい。
【００５５】
次に、ステップＳ４４６において、リセットするまでの残時間Ｔｒが「０」であるか判定し、リセットするまでの残時間Ｔｒが「０」でない場合は、ステップＳ４４０へ戻る。ステップＳ４４０において、洗浄位置における手の存在が検出されると、水洗い行程１の未完了を表す信号は生成されず、未完了を通知する処理は停止され、ステップＳ４４４に進む。ステップＳ４４０及びステップＳ４４２の処理は、残時間Ｔｒが「０」になるまで繰り返される。ステップＳ４４６において、リセットするまでの残時間Ｔｒが「０」である場合は、ステップＳ４４８へ進む。ステップＳ４４８において、制御器１４０は、水洗い行程１の処理の未完了を通知する処理を停止して、例えば、警告音の出力を停止して、ステップＳ４０２へ戻る。
【００５６】
ここで、ステップＳ４１２の説明に戻る。ステップＳ４１２において、水洗い行程１の残時間Ｔが「０」であると判定されると、制御器１４０は、電磁弁１５２に水吐出ノズル１５４からの水の吐出を停止させ、２回目の行程間行程（図３Ｃでは不図示）の実行に移る。なお、２回目、３回目、４回目、５回目の行程間行程で実行される処理は、上述した１回目の行程間行程で実行される処理と、表示画面が異なる点を除いて、ほぼ同じであるので、以降、これらの行程における具体的な処理に関する説明は省略する。
【００５７】
そして、２回目の行程間行程が終了すると、制御器１４０は、薬液行程の実行に移る（ステップＳ４１４からＳ４２０）。薬液行程では、まず、制御器１４０は、メモリ１４２から、薬液行程に対応する画像と、第２所定時間ｔ２とを読み出しするとともに、タイマにより残時間Ｔを第２所定時間ｔ２に設定する（ステップＳ４１４）。
【００５８】
次に、ステップＳ４１６において、洗浄位置における手の存在を検出したときに、ステップＳ４１８に進む。一方、ステップＳ４１６において、洗浄位置における手の不存在を検出したときに、ステップＳ４３８からステップ４４８で構成される中断処理へ進む。中断処理の詳細については、既に説明したので、ここでは説明は省略する。
【００５９】
ステップＳ４１８において、制御器１４０は、薬液ポンプ１５６に、薬液吐出ノズル１５８から薬液を吐出させると共に、ディスプレイ１１２に対し、薬液行程時の画面（図３Ｂの画像３１０：例えば「石けんＡ」）を表示させる。
【００６０】
また、ステップＳ４１８において、制御器１４０は、タイマにより薬液行程における、設定された時間ｔ２からの残時間Ｔのカウントダウンを開始させる。制御器１４０は、ディスプレイ１１２に対し、薬液行程の残時間Ｔをカウントダウン表示させてもよい。ステップＳ４２０において、残時間Ｔが「０」でないと判定された場合、ステップＳ４１６へ戻る。ステップＳ４１６及びステップＳ４１８の処理は、残時間Ｔが「０」になるまで繰り返される。
【００６１】
そして、ステップＳ４２０にて、残時間Ｔが「０」であると判定されると、制御器１４０は、薬液吐出ノズル１５８から薬液の吐出を停止させ、３回目の行程間行程（図３Ｃでは不図示）の実行に移る。
【００６２】
３回目の行程間行程が終了すると、制御器１４０は、手洗い行程の実行に移る（ステップＳ４２２からステップＳ４２６）。手洗い行程では、まず、制御器１４０は、メモリ１４２から、手洗い行程に対応する画像と、第３所定時間ｔ３とを読み出しするとともに、タイマにより残時間Ｔを第３所定時間ｔ３に設定する（ステップＳ４２２）。
【００６３】
次に、ステップＳ４２４において、制御器１４０は、ディスプレイ１１２に対し、手洗い行程時の画面（図３Ｂの画像３１４：例えば、「手洗い時間」）を表示させる。
【００６４】
また、ステップＳ４２４において、制御器１４０は、手洗い行程における、設定された時間ｔ３からの残時間Ｔのカウントダウンを開始させる。このとき、制御器１４０は、ディスプレイ１１２に対し、手洗い行程の残時間Ｔをカウントダウン表示（「水がでるまで○秒」と表示）させてもよい。
【００６５】
そして、ステップＳ４２６において、手洗い行程の残時間Ｔが「０」と判定されると、制御器１４０は、４回目の行程間行程（図３Ｃでは不図示）の実行に移る。一方、ステップＳ４２６において、残時間Ｔが「０」でないと判定された場合、ステップＳ４２４へ戻る。
【００６６】
なお、本実施形態に係る手洗い行程においては、制御器１４０は、手の存在が検出されているか否かに関わらず、手洗い行程の実行に移る。すなわち、人は、手洗いを行っている間、洗浄位置から手を離していてもよい。手が検知されなくとも、手洗い行程の実行は中断されず、手洗い行程の残時間Ｔのカウントダウンは継続される。
【００６７】
一方、制御器１４０は、手の存在が検出されていることを条件として、手洗い行程を実行してもよい。この場合、人は、手洗いを行っている間も、洗浄位置から手を離すことができない。洗浄位置から手が離れたことが検知されると、ステップＳ４３８からステップ４４８で構成される上述の中断処理へ進む。
【００６８】
そして、４回目の行程間行程が終了すると、制御器１４０は、水洗い行程２の実行に移る（ステップＳ４２８からステップＳ４３４）。水洗い行程２では、まず、制御器１４０は、メモリ１４２から、水洗い行程２に対応する画像と、第４所定時間ｔ４とを読み出しするとともに、タイマにより残時間Ｔを第４所定時間ｔ４に設定する（ステップＳ４２８）。
【００６９】
次に、ステップＳ４３０において、洗浄位置における手の存在を検出したときに、ステップＳ４３２に進む。一方、ステップＳ４３０において、洗浄位置における手の不存在を検出したときに、ステップＳ４３８からステップ４４８で構成される上述の中断処理へ進む。
【００７０】
ステップＳ４３２において、制御器１４０は、電磁弁１５２に水吐出ノズル１５４から水を吐出させると共に、ディスプレイ１１２に対し、水洗い行程２時の画面（図３Ｂの画像３１８：例えば「最終水洗い時間」）を表示させる（ステップＳ４３２）。
【００７１】
また、ステップＳ４３２において、制御器１４０は、水洗い行程２における、設定された時間ｔ４からの残時間Ｔのカウントダウンを開始させる。このとき、制御器１４０は、ディスプレイ１１２に対し、水洗い行程２の残時間Ｔをカウントダウン表示（「あと○秒」と表示）させてもよい。ステップＳ４３４において、残時間Ｔが「０」でないと判定された場合、ステップＳ４３０へ戻る。ステップＳ４３０及びステップＳ４３２の処理は、残時間Ｔが「０」になるまで繰り返される。
【００７２】
そして、ステップＳ４３４において、水洗い行程２の残時間Ｔが「０」と判定されると、制御器１４０は、電磁弁１５２に水吐出ノズル１５４から水の吐出を停止させて、５回目の行程間行程の実行に移る（図３Ｃでは不図示）。そして、５回目の行程間行程が終了すると、シーケンス処理は終了され、ステップＳ４３６へ進む。
【００７３】
ステップＳ４３６において、制御器１４０は洗浄処理の完了を通知する完了信号を生成する。このとき、制御器１４０は、完了信号に基づいて、スピーカ１１４に対し、洗浄処理が完了した旨を通知する完了音を出力させてもよいし、ランプ１１６に対し洗浄処理が完了した旨を示す完了点灯をさせてもよい。これにより、人は、聴覚的あるいは視覚的に自身の手洗いが完了したことを認識することができる。そして、完了信号が生成されると、送信器１８０は、制御器１４０が生成した完了信号を、補助装置２２０へ送信する。なお、図７及び図８に示す実施形態では、後述するように、完了信号は第１の洗浄装置１００Ｂ−１へ通知される。そして、終了待機時間ｔｂに終了処理を行った後、ステップＳ４０２へ戻る。
【００７４】
なお、上述したシーケンス処理の内容は例示であり、各行程を実行する回数や順序は様々に決定される。例えば、図１３に示されるように、制御器１４０は、薬液行程、手洗い行程、水洗い行程をこの順に２回ずつ行わせてもよい。
【００７５】
流体供給機構１５０は、２種類の薬液（例えば、石けん液Ａ及び石けん液Ｂ）を吐出するよう構成されてもよい。この場合、洗浄装置１００は、２つの薬液ポンプ（１５６Ａ及び１５６Ｂ）と、２つの薬液吐出ノズル（１５８Ａ及び１５８Ｂ）と、２つの薬液タンク（１７０Ａ及び１７０Ｂ）とを備える。図１３に示されるように、シーケンス処理が開始されると、制御器１４０は、1回目の行程間行程を実行後、第１所定時間ｔ１にわたり水洗い行程１を実行し、２回目の行程間行程を実行後、第２所定時間ｔ２にわたり薬液行程１を実行し、３回目の行程間行程を実行後、第３所定時間ｔ３にわたり手洗い行程１を実行し、４回目の行程間行程を実行後、第４所定時間ｔ４にわたり水洗い行程２を実行し、５回目の行程間行程を実行後、第５所定期間ｔ５にわたり薬液行程２を実行し、６回目の行程間行程を実行後、第６所定時間ｔ６にわたり手洗い行程２を実行し、７回目の行程間行程を実行後、第７所定時間ｔ７にわたり水洗い行程３を実行し、８回目の行程間行程を実行後、終了待機時間ｔｂにわたり終了待機行程を実行する。
【００７６】
図４は、本発明の一実施形態に係る、複数台の洗浄装置１００Ａを備える洗浄システム２００Ａの構成図である。洗浄システム２００Ａは、複数の洗浄装置１００Ａにおける洗浄処理の実行と、補助装置２２０Ａにおける洗浄処理に関連する処理の実行とを監視する機能を組み込んだ一実施形態としてのシステムである。本実施形態に係る洗浄システム２００Ａは、３台の洗浄装置１００Ａ−１と、１００Ａ−２と、１００Ａ−３と、補助装置２２０Ａとを備える。各洗浄装置１００Ａ−１から１００Ａ−３は、図２に示す洗浄装置１００と同じ構成を有する。補助装置２２０Ａは、アルコール噴霧器２２２Ａと、自動ドア２２４Ａとを備える。複数の洗浄装置１００Ａの送信器１８０Ａのそれぞれが、補助装置２２０Ａのアルコール噴霧器２２２Ａに電気的に接続され、アルコール噴霧器２２２Ａは自動ドア２２４Ａに電気的に接続されている。本実施形態によると、アルコール噴霧器２２２Ａが、洗浄装置１００から受信した完了信号の数と、アルコール噴霧器が駆動された回数とをカウントする。これにより、洗浄装置１００Ａを用いて洗浄処理を完了した人が、アルコール噴霧器２２２Ａを用いて消毒処理を行っているか否かを識別することができる。
【００７７】
アルコール噴霧器２２２Ａは、センサ（不図示）と、カウンタ２２６を備える。アルコール噴霧器２２２Ａのセンサは、例えば、消毒位置付近に赤外線等を照射し、被検出体である手から反射された赤外線を検出するものである。アルコール噴霧器２２２Ａは、センサにより赤外線が検出されると、手が検知されたと判定し、消毒位置に向けて消毒液を噴霧する。
【００７８】
アルコール噴霧器２２２Ａのカウンタ２２６は、1台の洗浄装置１００Ａから完了信号を受信すると１つインクリメントし、アルコール噴霧器２２２Ａが１回駆動されると１つデクリメントするよう構成される。洗浄装置１００Ａから受信した完了信号の数と、アルコール噴霧器２２２Ａが駆動される回数との差がない場合、カウンタ２２６の値は「０」になる。アルコール噴霧器２２２Ａは、カウンタ２２６を用いて、洗浄装置１００を用いて洗浄処理を完了した人が、アルコール噴霧器２２２Ａを用いて消毒処理を行っているかを識別することができる。カウンタ２２６の値は、「０」に初期設定される。
【００７９】
図５及び図６は、それぞれ図４に示す補助装置２２０の動作を示すフローチャートである。図５は、図４に示すアルコール噴霧器２２２Ａの動作を示すフローチャート５００である。図６は、図４に示す自動ドア２２４Ａの動作を示すフローチャート６００である。
【００８０】
以下、図５のフローチャート５００に従って、図４に示すアルコール噴霧器２２２Ａの動作について説明する。複数の洗浄装置１００Ａ−１から１００Ａ−３のうち１つから完了信号を受信すると、アルコール噴霧器２２２Ａはカウンタ２２６を１つインクリメントする（ステップＳ５０２）。例えば、図４に示すように、３台の洗浄装置１００Ａ−１、１００Ａ−２、及び１００Ａ−３のそれぞれから完了信号を受信すると、カウンタ２２６の値は３になる。
【００８１】
次に、アルコール噴霧器２２２Ａは、消毒位置において、手が検知されたかを判定し（ステップＳ５０４）、手が検知されると、洗浄処理に関連する処理、ここではアルコールの噴霧を実行する（ステップＳ５０６）。そして、アルコール噴霧器２２２Ａは、駆動されると、アルコール噴霧器２２２Ａのカウンタ２２６の値を１つデクリメントし、消毒処理の完了信号を自動ドア２２４Ａへ送信する（ステップＳ５０６）。
【００８２】
そして、ステップＳ５０８において、アルコール噴霧器２２２Ａは、カウンタ２２６の値が「０」であるかを判定する。カウンタ２２６の値が「０」でない場合は、ステップＳ５０２に戻る。一方、カウンタ２２６の値が「０」である場合は、洗浄装置１００Ａを用いて洗浄処理を完了した人全員が、アルコール噴霧器２２２Ａを用いて消毒処理を行っていることになるので、処理を終了する。
【００８３】
なお、本実施形態においては、アルコール噴霧器２２２Ａ自体がカウンタ２２６を備えており、アルコール噴霧器２２２Ａが、カウンタ２２６のインクリメント・デクリメント、及び完了信号の送受信を行う。しかしながら、一般的なアルコール噴霧器は、カウンタ２２６を有さない。従って、一般的なアルコール噴霧器（例えば、既設のアルコール噴霧器）を利用する場合、当該一般的なアルコール噴霧器と、送信器１８０と、自動ドア２２４Ａとに、電気的に接続された別体のカウンタ装置を設置し、当該別体のカウンタ装置に、カウンタのインクリメント・デクリメント、及び完了信号の送受信を行わせてもよい。具体的には、別体のカウンタ装置は、複数の洗浄装置１００のうち１つから完了信号を受信すると、カウンタを１つインクリメントする。また、別体のカウンタ装置は、アルコール噴霧器２２２Ａが駆動されたことを検知すると、カウンタを１つデクリメントし、完了信号を自動ドア２２４Ａへ送信する。
【００８４】
図６は、図４に示す自動ドア２２４Ａの動作を示すフローチャートである。自動ドア２２４Ａは、図４に示すアルコール噴霧器２２２Ａからの完了信号を受信すると、洗浄処理に関連する処理、ここでは自動ドアのロック解除をする（ステップＳ６０２）。そして、自動ドア２２４Ａは、自動ドア２２４Ａ付近に人が検知されたかを判定し（ステップＳ６０４）、人が検知されるとドアを開く（ステップＳ６０６）。
【００８５】
洗浄装置１００が設置される手洗い所と、手作業を行う部屋とは、自動ドア２２４Ａで分離されている。図４に示す洗浄システム２００Ａにおいては、洗浄装置１００から送信された完了信号をアルコール噴霧器２２２Ａが受信すると、当該完了信号に基づいて、アルコール噴霧器２２２Ａが駆動される。アルコール噴霧器２２２Ａは駆動されると、完了信号を自動ドア２２４Ａへ送信する。自動ドア２２４Ａは、アルコール噴霧器２２２Ａからの完了信号を受信してはじめて、ドアロックを解除するよう構成される。すなわち、図４に示す洗浄システム２００Ａでは、人は、手洗いとアルコール消毒の両方を終了しないと、手洗所から退出することができない。従って、洗浄システム２００は、人に対して手洗いとアルコール消毒の両方を強制的に行わせることができる。
【００８６】
なお、図４に示す洗浄システム２００Ａの構成は例示であり、洗浄システム２００の構成はこれに限られない。図７は、本発明の他の実施形態に係る、洗浄システム２００Ｂの構成図である。本実施形態の洗浄システム２００Ｂにおいては、第１の洗浄装置１００Ｂ−１を親機とし、他の洗浄装置１００Ｂ−２及び１００Ｂ−３を子機とする。そして、親機となる第１の洗浄装置１００Ｂ−１が、全ての洗浄装置１００Ｂ−１から１００Ｂ−３から完了信号が通知された回数と、アルコール噴霧器２２２Ｂが駆動された回数とをまとめてカウントすることができる。完了信号が通知された回数と、アルコール噴霧器が駆動された回数とを、親機においてまとめてカウントすることで、親機のディスプレイ１１２（図１、図２に示す）に、カウントされた値を表示することができる。
【００８７】
本実施形態にかかる洗浄システム２００Ｂの構成は、以下に述べる点において、図４に示す洗浄システム２００Ａの構成と主に異なる。まず、図４に示す洗浄システム２００Ａにおいては、複数の洗浄装置１００Ａのそれぞれが、アルコール噴霧器２２２Ａと電気的に接続されているのに対し、本実施形態に係る洗浄システム２００Ｂにおいては、複数の洗浄装置１００Ｂのうちの第１の洗浄装置１００Ｂ−１が、アルコール噴霧器２２２Ｂと電気的に接続され、他の洗浄装置１００Ｂ−２及び１００Ｂ−３は、アルコール噴霧器２２２Ｂではなく、第１の洗浄装置１００Ｂ−１と電気的に接続される。
【００８８】
また、本実施形態に係る洗浄システム２００Ｂにおいては、図４に示す洗浄システム２００Ａとは異なり、第１の洗浄装置１００Ｂ−１は、送信器１８０ではなく、送受信機１８２を備える。送受信機１８２は、アルコール噴霧器２２２Ｂと信号の送受信を行うとともに、他の洗浄装置１００Ｂ−２及び１００Ｂ−３からの完了信号を受信する。
【００８９】
さらに、本実施形態の第１の洗浄装置１００Ｂ−１はカウンタ１９０を備える。当該カウンタ１９０は、全ての洗浄装置１００Ｂ−１から１００Ｂ−３のうち１つの洗浄装置１００Ｂから完了信号が通知される度に、インクリメントされ、アルコール噴霧器２２２Ｂが駆動される度に、デクリメントされる。従って、本実施形態にかかるアルコール噴霧器２２２Ｂにおいては、図４に示すアルコール噴霧器２２２Ａとは異なり、カウンタ２２６を備えなくともよい。
【００９０】
図８は、図７に示す洗浄システム２００Ｂの第１の洗浄装置１００Ｂ−１において行われる処理を示すフローチャートである。上述したように、第１の洗浄装置１００Ｂ−１は、
各洗浄装置１００Ｂ−１から１００Ｂ−３から完了信号が通知された回数と、アルコール噴霧器２２２Ｂが駆動された回数とをカウントする。なお、図８に示す処理は、図３Ｃや、図５に示す処理と適宜関連して実行される。例えば、ステップＳ８０４は、図３ＣのステップＳ４０４（手の存在を検出するステップ）に応じて実行され、ステップＳ８０８は、図３ＣのステップＳ４３６（洗浄処理の完了信号を通知するステップ）に応じて実行され、ステップＳ８１２は、図５Ｃのステップ５０６（消毒処理の完了信号を通知するステップ）に応じて実行される。
【００９１】
以下、図８に示すフローチャート８００に従って、図７に示す第１の洗浄装置１００Ｂ−１の動作の詳細を説明する。まず、ステップＳ８０２において、カウンタ１９０の値は「０」に初期設定される。また、第１の洗浄装置１００Ｂ−１は、メモリ１４２から、システムのリセット時間ｔｃを読み出しするとともに、タイマによりシステムの残時間Ｔｓをシステムのリセット時間ｔｃに設定する。複数の洗浄装置１００Ｂ−１から１００Ｂ−３のいずれかが、洗浄位置において手の存在を検出すると（図３ＣのステップＳ４０４）、当該洗浄装置１００は、手の存在を検出した旨を示す検出信号を生成し、第１の洗浄装置１００Ｂ−１へ当該検出信号を通知する（図８において不図示）。なお、第１の洗浄装置１００Ｂ−１が、洗浄位置において手の存在を検出する場合、第１の洗浄装置１００Ｂ−１が検出信号を生成する。
【００９２】
そして、ステップＳ８０４において、第１の洗浄装置１００Ｂ−１は、複数の洗浄装置１００Ｂ−１から１００Ｂ−３のいずれかにより、検出信号が通知されたか判定する。
【００９３】
ステップＳ８０４において、「はい」の場合、ステップＳ８０６に進む。一方、ステップＳ８０４において、「いいえ」の場合、ステップＳ８０２へ戻る。第１の洗浄装置１００Ｂ−１は、検出信号が通知されるまで、ステップＳ８０２、Ｓ８０４を繰り返す。
【００９４】
ステップＳ８０８からステップＳ８１４は、第１の洗浄装置１００Ｂ−１のカウンタ１９０が、洗浄装置１００Ｂ−１〜１００Ｂ−３から完了信号が通知される度に、インクリメントされ、アルコール噴霧器２２２Ｂが駆動される度に、デクリメントされる処理を示す。まず、ステップＳ８０６にて、第１の洗浄装置１００Ａは、タイマに対し、設定されたリセット時間ｔｃからのシステムリセット残時間Ｔｓのカウントダウンを開始させる。
【００９５】
複数の洗浄装置１００Ｂ−１から１００Ｂ−３は、図３ＣのステップＳ４３６において、生成した洗浄処理の完了信号を、第１の洗浄装置１００Ｂ−１へ通知する（図８において不図示）。
【００９６】
次に、ステップＳ８０８において、第１の洗浄装置１００Ｂ−１は、洗浄装置１００Ｂ−１から１００Ｂ−３のいずれかから、洗浄処理の完了を示す完了信号を通知されたかを判定する。
【００９７】
ステップＳ８０８において、「はい」の場合、ステップＳ８１０にて、第１の洗浄装置１００Ｂ−１のカウンタ１９０の値を１つインクリメントする。また、第１の洗浄装置１００Ｂ−１は、送受信器１８２を介して、洗浄処理の完了を示す完了信号をアルコール噴霧器２２２Ｂへ送信する。一方、ステップＳ８１０において、「いいえ」の場合、ステップＳ８１２へ進む。
【００９８】
そして、アルコール噴霧器２２２Ｂが第１の洗浄装置１００Ｂ−１から送信された完了信号を受信すると、アルコール噴霧器２２２Ｂは、消毒位置において手が検知された場合に、図５のステップＳ５０６にて、駆動され、アルコールを噴霧する。アルコール噴霧器が駆動されると、アルコール噴霧器２２２Ｂは、アルコール噴霧器２２２Ｂが駆動したことを示す完了信号を、第１の洗浄装置１００Ｂ−１へ通知する（図８において不図示）。
【００９９】
そして、ステップＳ８１２において、第１の洗浄装置１００Ｂ−１は、アルコール噴霧器２２２Ｂから、アルコール噴霧器２２２Ｂが駆動したことを示す完了信号が通知されたかを判定する。ステップＳ８１２において、「はい」の場合、ステップＳ８１４において、第１の洗浄装置１００Ｂ−１のカウンタ１９０の値は１つデクリメントされる。このとき、第１の洗浄装置１００Ｂ−１は、ディスプレイ１１２に対し、カウンタ１９０の値を表示させてもよい。一方、ステップＳ８１２において、「いいえ」の場合、ステップＳ８１６へ進む。カウンタ１９０の値が表示されることにより、作業者は、カウンタの値を視認して、洗浄処理を行ったものの消毒処理を行っていない人の数を把握することができる。
【０１００】
そして、ステップＳ８１６において、システムの残時間Ｔｓが「０」であるか判定する。ステップＳ８１６において、「いいえ」の場合、ステップＳ８２２に進む。ステップＳ８２２及びステップＳ８２４は、複数の洗浄装置１００Ｂのいずれかにより新たに手の存在が検出される度に、システムの残時間Ｔｓをリセット時間ｔｃにリセットするために行われる処理である。
【０１０１】
具体的には、まず、ステップＳ８２２において、第１の洗浄装置１００Ｂ−１は、洗浄装置１００Ｂ−１から１００Ｂ−３のいずれかから、検出信号が新たに通知されたか判定する。ステップＳ８２２において、「はい」の場合、すなわち、手の存在を検出した旨を示す検出信号が新たに第１の洗浄装置１００Ｂ−１に通知された場合、ステップＳ８２４に進む。ステップＳ８２４において、第１の洗浄装置１００Ｂ−１は、メモリ１４２から、システムのリセット時間ｔｃを読み出しするとともに、タイマによりシステムの残時間Ｔｓをシステムのリセット時間ｔｃに再設定し、ステップＳ８０６に戻る。一方、ステップＳ８２２において、「いいえ」の場合、システムの残時間Ｔｓを再設定することなく、ステップＳ８０８に進む。
【０１０２】
このように、本実施形態においては、システムの残時間Ｔｓが「０」と判定されるまで、ステップＳ８０６からステップＳ８２４の処理を繰り返す。これにより、最初にいずれかの洗浄装置１００Ｂが手の存在を検出したときから、最後にいずれかの洗浄装置１００Ｂが手の存在を検出したときまで（正確には、最後に手の存在が検出されたときからリセット時間ｔｃまで）に亘って、カウンタ１９０は、洗浄装置１００Ｂ−１から１００Ｂ−３から完了信号が通知された回数から、アルコール噴霧器２２２Ｂが駆動された回数を引いた数のカウントを行うことができる。
【０１０３】
ステップＳ８１６において、「はい」の場合、ステップＳ８１８へ進む。ステップＳ８１８において、第１の洗浄装置１００Ｂ−１は、カウンタ１９０の値が「０」であるかを判定する。そして、ステップＳ８１８において「はい」の場合、すなわちカウンタ１９０の値が「０」である場合に、第１の洗浄装置１００Ｂ−１における処理は終了する。カウンタ１９０の値「０」は、洗浄装置１００Ｂを用いて洗浄処理を完了した人が全て、アルコール噴霧器２２２Ｂを用いて消毒処理を行っていることを示す。
【０１０４】
一方、ステップＳ８１８において、カウンタ１９０の値が「０」でない場合、ステップＳ８２０へ進む。カウンタ１９０が「０」でないことは、システムのリセット時間ｔｃ内で、洗浄処理を完了した人の一部（カウンタ１９０に示される値の人数）が、アルコール噴霧器２２２Ｂを用いて消毒処理を行っていないことを示す。消毒処理を行わないで、手洗い所を退出してしまう人がいると、カウンタ１９０の値はリセット時間ｔｃをすぎても、「０」にならない。例えば、洗浄装置１００Ｂにより洗浄処理を完了したものの、アルコール噴霧器２２２Ｂにより消毒処理を行っていない人が１人いる場合、カウンタ１９０の値は「１」となる。なお、カウンタ１９０の値はマイナスになること、すなわち、洗浄装置１００Ｂから送信された完了信号の数が、アルコール噴霧器２２２Ｂが駆動された数よりも少ないことはない。アルコール噴霧器２２２Ｂは、洗浄装置１００Ｂからの洗浄処理の完了を示す信号が送信されないと、駆動されないからである。
【０１０５】
ステップＳ８１８においてカウンタ１９０の値が「０」でない場合、ある作業者が洗浄装置１００Ｂを用いて洗浄処理を完了した後、アルコール噴霧器２２２Ｂを用いて消毒処理を行っても、自動ドア２２４Ｂのドアロックは解除されない。このような不具合を解消するために、システムのリセット時間ｔｃ経過後に、カウンタ１９０の値が「０」ではない場合、ステップＳ８２０へ進み、リセット処理を行う。
【０１０６】
ステップＳ８２０では、カウンタ１９０の値を、当該カウンタの値が設定された時刻とともにメモリ１４２に記憶する。メモリ１４２に記憶されたカウンタの値と、カウンタの値が設定された時刻とは、所定の操作を行うことにより、ディスプレイ１１２に表示される。これにより、管理者はディスプレイ１１２の表示を確認して、所定の内容の手洗いが、行われていなかった人数と、時刻とを把握することができる。その後、カウンタ１９０の値を「０」に設定する。これにより、ステップＳ８１８においてカウンタ１９０の値が「０」でない場合にも、手洗い所から退出できなかった人が、洗浄処理と消毒処理とを完了することにより、手洗い所から退出することができる。
【０１０７】
図９は、本発明のさらなる実施形態に係る、洗浄システム２００Ｃの構成図である。本実施形態に係る洗浄システム２００Ｃにおいては、図４に示す洗浄システム２００Ａとは異なり、補助装置２２０Ｃが、アルコール噴霧器２２２Ｃと、自動ドア２２４Ｃに加えて、タオル排出器２２８と、手洗い検査器２２９とを含む。なお、各洗浄装置１００Ｃは、それぞれ図２に示す洗浄装置１００Ａと同じ構成を有する。タオル排出器２２８、アルコール噴霧器２２２Ｃ、手洗い検査器２２９、自動ドア２２４Ｃは、この順で、相互に接続される。タオル排出器２２８は、人の手を検知すると、ペーパタオル等を排出する装置である。手洗い検査器２２９は、人の手を検知すると、洗い残しが光る専用のライトを点灯させる装置である。タオル排出器２２８及び手洗い検査器２２９は、図５に示すアルコール噴霧器２２２Ａの動作のフローと類似の動作を行う。
【０１０８】
図１０から図１２は、洗浄装置１００のディスプレイ１１２に示される設定画面の一例を示す。設定画面は、洗浄装置１００の設定を行う管理者が、前述したシーケンス処理の設定内容を確認したり、設定内容を変更したりするために用いる画面である。図３Ｂに示す初期画面３０２を表示しているときに、タッチパネル式のディスプレイ１１２に対し、管理者による所定の操作が検出されると、設定処理プログラムが実行され、制御器１４０は、ディスプレイ１１２に対し設定画面１０００Ａ〜１０００Ｃを表示させる。
【０１０９】
設定画面１０００Ａには、複数の設定変更ボタン（１０１１、１０１２、１０１３）と、複数の現在の設定を示す画像（１０２１、１０２２、１０２３）とが表示される。
【０１１０】
複数の設定変更ボタンは、手洗い回数を設定するための「手洗回数」ボタン１０１１と、吐出する石けんの種類や石けんを吐出する順序を設定するための「石鹸選択」ボタン１０１２と、各行程の期間を設定するための「行程間隔」ボタン１０１３を含む。管理者は、例えば、「手洗回数」ボタン１０１１を選択することにより、図３Ａに示す１回の手洗い行程を含む手洗いシーケンスと、図１３に示す２回の手洗い行程を含む手洗いシーケンスとの切り替えすることができる。また、管理者は、「行程間隔」ボタン１０１３を選択することにより、図３Ａや図１３に示す、各行程時間を変更することができる。
【０１１１】
制御器１４０は、メモリ１４２に記憶されているシーケンス処理の現在の設定を読み出しし、当該現在の設定に対応する画像を、設定画面１０００Ａに表示する。図１０に示されるように、現在の設定を示す画像は、現在設定されている手洗い回数を示す画像１０２１と、現在設定されている石けんの種類や石けんを吐出する順序を示す画像１０２２と、現在設定されている行程間隔の設定方法を示す画像１０２３である。
【０１１２】
以下、図１０から図１２を参照して、シーケンス処理の設定内容を変更するときに行われる処理の例について説明する。
【０１１３】
図１０に示す設定画面１０００Ａにおいて、複数の設定変更ボタンの１つ（例えば、「手洗回数」ボタン１０１１）がタップにより選択されると、図１０の設定画面１０００Ａは、図１１に示す設定画面１０００Ｂに遷移する。図１１は、選択された設定変更ボタンに関連付けられた複数の選択肢ボタン（図１１では、「１回洗い」ボタン１０４１，及び「２回洗い」ボタン１０４２）を含む選択ウィンドウ１０４０がディスプレイ１１２に表示されている様子を示す。複数の選択肢ボタンのうち１つ（図１１では、「２回洗い」ボタン１０４２）がタップにより選択されると、図１１の設定画面１０００Ｂは、図１２に示す設定画面１０００Ｃに遷移する。そして、図１２に示す設定画面１０００Ｃでは、選択された選択肢ボタン１０４２に対応する現在の設定を示す画像（図１２では、「２回洗い」画像１０２４）が示される。すなわち、図１０では「１回洗い」であった手洗い回数を示す画像１０２１は、図１２では「２回洗い」画像１０２４へと変更されている。
【０１１４】
なお、図１１は、図１０に示す設定画面１０００Ａにおいて、「手洗回数」ボタン１０１１が選択された場合の選択ウィンドウ１０４０を示しており、他の設定変更ボタンが選択された場合には異なる選択肢ボタンで構成された選択ウィンドウが表示される。
【０１１５】
例えば、図１０に示す設定画面１０００Ａにおいて、「石鹸選択」ボタン１０１２が選択された場合には、選択された設定変更ボタンに関連付けられた複数の選択肢ボタン（例えば、「石けんＡ→Ｂ」ボタン、「石けんＡ→Ａ」ボタン、「石けんＢ→Ａ」ボタン、「石けんＢ→Ａ」ボタンの４つのボタン）を含む選択ウィンドウ１０４０がディスプレイ１１２に表示される。これらの選択肢ボタンのうち１つが選択されると、石けんを吐出する種類や順番が設定される。なお、「手洗い回数」が１回に設定されている場合は、選択ウィンドウ１０４０には、石けんの種類のみを設定可能な「石けんＡ」ボタン、「石けんＢ」ボタンが、複数の選択肢ボタンとして表示される。
【０１１６】
また、例えば、図１０に示す設定画面１０００Ａにおいて、「行程間隔」ボタン１０１３が選択された場合には、選択された設定変更ボタンに関連付けられた複数の選択肢ボタン（例えば、「一括」ボタン、「個別」ボタン）を含む選択ウィンドウ１０４０がディスプレイ１１２に表示される。「一括」ボタンは、水洗い行程と、薬液行程と、手洗い行程と、行程間行程との時間を一括して同じ設定するために用いられる。「個別」ボタンは、これらの行程の時間を異なる設定するために用いられる。これらの行程の時間は、例えば、０．１から９９．９秒の範囲で設定される。
【０１１７】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、実施形態および変形例の任意の組み合わせが可能であり、特許請求の範囲および明細書に記載された各構成要素の任意の組み合わせ、または、省略が可能である。
【符号の説明】
【０１１８】
１００（Ａ、Ｂ、Ｃ）…洗浄装置、１１０…操作部、１１２…ディスプレイ、１１４…スピーカ、１１６…ランプ、１３０…洗浄部、１４０…制御器、１４２…メモリ、１４４…プロセッサ、１５０…流体供給機構、１５２…電磁弁、１５４…水吐出ノズル、１５６…薬液ポンプ、１５８…薬液吐出ノズル、１６０…センサ、１７０…薬液タンク、１８０…送信器、１８２…送受信器、１９０…カウンタ、２００（Ａ、Ｂ、Ｃ）…洗浄システム、２２０（Ａ、Ｂ、Ｃ）…補助装置、２２２（Ａ，Ｂ、Ｃ）…アルコール噴霧器、２２４（Ａ、Ｂ、Ｃ）…自動ドア、２２６…カウンタ、２２８…タオル排出器、２２９…検査器
【図１】
2018202099.tif 000003
【図２】
2018202099.tif 000004
【図３Ａ】
2018202099.tif 000005
【図３Ｂ】
2018202099.tif 000006
【図３Ｃ】
2018202099.tif 000007
【図４】
2018202099.tif 000008
【図５】
2018202099.tif 000009
【図６】
2018202099.tif 000010
【図７】
2018202099.tif 000011
【図８】
2018202099.tif 000012
【図９】
2018202099.tif 000013
【図１０】
2018202099.tif 000014
【図１１】
2018202099.tif 000015
【図１２】
2018202099.tif 000016
【図１３】
2018202099.tif 000017